(57)【特許請求の範囲】
【請求項１】
高電圧バッテリから給電される高電圧部品（１４）と、
前記高電圧部品を覆うカバー（４３）と、
低電圧バッテリから電源ライン（２８）を経由して給電され、前記高電圧部品への高電圧の給電を制御する低電圧部品（２１、２２、２４、２５）と、
前記電源ラインの一部を構成するとともに、前記カバーに端部が固定された配線部材（２９、３０、３３）とを備え、
前記配線部材は、
前記低電圧バッテリから前記低電圧部品へ給電する前記電源ラインの一部を構成するケーブル（２９、３３）と、
前記ケーブルの途中に設けられ接続および分離が可能であって、前記電源ラインだけを断続するコネクタ（３０）とを備え、
前記コネクタは、
前記コネクタの接続状態では、前記コネクタによって前記電源ラインを接続することにより前記低電圧部品による前記高電圧部品への高電圧の供給を可能とするとともに、前記コネクタが接続状態にあるときの前記配線部材による機械的な連結により前記カバーの取り外しを制限するよう構成され、
前記コネクタの分離状態では、前記コネクタによって前記電源ラインを遮断することにより前記低電圧部品による前記高電圧部品への高電圧の供給を遮断するとともに、前記コネクタの分離状態によって前記配線部材による前記機械的な連結を解除することにより前記カバーの取り外しを許容するよう構成されていることを特徴とする電気機器。
【請求項２】
前記高電圧部品（１４）、前記低電圧部品（２１、２２）、および前記カバー（４３）が固定されるシャーシ（１１）と、
前記配線部材（２９、３０、３３）の第１部分（２９）を前記シャーシに固定する固定部（１６）と、
前記配線部材の上において前記第１部分から所定の長さだけ離れた前記配線部材の第２部分（３２、３３）を前記カバーに固定する固定部（４４）とを備えることを特徴とする請求項１に記載の電気機器。
【請求項３】
前記コネクタは、前記カバーの外側に配置されていることを特徴とする請求項２に記載の電気機器。
【請求項４】
前記低電圧部品は、前記高電圧部品への高電圧の給電を制御するインバータ（２２）を備えることを特徴とする請求項２または請求項３に記載の電気機器。
【請求項５】
前記低電圧部品は、前記インバータを制御する制御装置（２１）を備えることを特徴とする請求項４に記載の電気機器。
【請求項６】
前記低電圧部品は、前記高電圧部品への高電圧の給電を制御するリレー（２４、２５）を備えることを特徴とする請求項２から請求項５のいずれかに記載の電気機器。
【請求項７】
前記低電圧部品は、前記リレーを制御する制御装置（２１）を備えることを特徴とする請求項６に記載の電気機器。
【請求項８】
前記コネクタ（３０）は、前記ケーブル（２９）に接続された第１部材（３１）と、前記第１部材に対して接続および分離が可能な第２部材（３２）とを備え、
前記カバーは、前記第２部材を固定する固定部（４４）を備えることを特徴とする請求項２から請求項７のいずれかに記載の電気機器。
【請求項９】
前記ケーブル（２９、３３）は、第１ケーブル（２９）と第２ケーブル（３３）とを備え、
前記コネクタは、前記第１ケーブルと前記第２ケーブルとの間に設けられており、
前記カバーは、前記第２ケーブルを固定する固定部（２４４）を備えることを特徴とする請求項２から請求項７のいずれかに記載の電気機器。
【請求項１０】
前記高電圧部品は、電動圧縮機であることを特徴とする請求項１から請求項９のいずれかに記載の電気機器。
【発明の詳細な説明】
【技術分野】
【０００１】
本発明は、電気機器に関するものであり、より詳細には、カバーによって覆われた電気機器、例えば車両用冷凍サイクル装置に関するものである。
【背景技術】
【０００２】
特許文献１は、電気機器の高電圧部分に高電圧を供給したままでも保守作業を可能とするために、絶縁性の部材を設ける構成を提案している。すなわち、この構成は、漏電を回避するための構成を提案している。高電圧が供給されている状態の導体は、活線と呼ばれる。また、高電圧を供給したままの保守作業は活線作業とも呼ばれる。また、特許文献１は、活線作業を可能とするために、高電圧部分を覆うカバーを備える電気機器を開示している。
【先行技術文献】
【特許文献】
【０００３】
【特許文献１】特開平９−２０５０号公報
【発明の概要】
【発明が解決しようとする課題】
【０００４】
従来技術の構成では、カバーを自由に取り外すことができる。特に、活線作業中であっても、カバーを取り外すことができる。このため、活線作業中に、漏電によって高電圧が充電されるおそれのある部位を含む活線が露出するおそれがあった。
【０００５】
本発明は上記問題点に鑑みてなされたものであり、その目的は、活線の露出を回避することができる電気機器を提供することである。
【０００６】
本発明の他の目的は、活線の露出を安価な構成により回避することができる電気機器を提供することである。
【課題を解決するための手段】
【０００７】
本発明は上記目的を達成するために以下の技術的手段を採用する。
【０００８】
請求項１に記載の発明は、高電圧バッテリから給電される高電圧部品（１４）と、高電圧部品を覆うカバー（４３）と、低電圧バッテリから電源ライン（２８）を経由して給電され、高電圧部品への高電圧の給電を制御する低電圧部品（２１、２２、２４、２５）と、電源ラインの一部を構成するとともに、カバーに機械的に連結された配線部材（２９、３０、３３）とを備え、配線部材は、電源ラインの一部を構成するケーブル（２９、３３）と、ケーブルの途中に設けられ接続および分離が可能なコネクタであって、接続状態では電源ラインを接続するとともに、配線部材による機械的な連結によりカバーの取り外しを制限し、分離状態では電源ラインを遮断するとともに、配線部材による機械的な連結を解除することによりカバーの取り外しを許容するコネクタ（３０）とを備えることを特徴とする。
【０００９】
請求項１に記載の発明は、高電圧バッテリから給電される高電圧部品（１４）と、高電圧部品を覆うカバー（４３）と、低電圧バッテリから電源ライン（２８）を経由して給電され、高電圧部品への高電圧の給電を制御する低電圧部品（２１、２２、２４、２５）と、電源ラインの一部を構成するとともに、カバーに端部が固定された配線部材（２９、３０、３３）とを備え、配線部材は、低電圧バッテリから低電圧部品へ給電する電源ラインの一部を構成するケーブル（２９、３３）と、ケーブルの途中に設けられ接続および分離が可能であって、電源ラインだけを断続するコネクタ（３０）とを備え、コネクタは、コネクタの接続状態では、コネクタによって電源ラインを接続することにより低電圧部品による高電圧部品への高電圧の供給を可能とするとともに、コネクタが接続状態にあるときの配線部材による機械的な連結によりカバーの取り外しを制限するよう構成され、コネクタの分離状態では、コネクタによって電源ラインを遮断することにより低電圧部品による高電圧部品への高電圧の供給を遮断するとともに、コネクタの分離状態によって配線部材による機械的な連結を解除することによりカバーの取り外しを許容するよう構成されていることを特徴とする。
【００１０】
請求項２に記載の発明は、高電圧部品（１４）、低電圧部品（２１、２２）、およびカバー（４３）が固定されるシャーシ（１１）と、配線部材（２９、３０、３３）の第１部分（２９）をシャーシに固定する固定部（１６）と、配線部材の上において第１部分から所定の長さだけ離れた配線部材の第２部分（３２、３３）をカバーに固定する固定部（４４）とを備えることを特徴とする。
【００１１】
この構成によると、配線部材の第１部分がシャーシに固定され、配線部材の第２部分がカバーに固定される。このため、シャーシとカバーとが配線部材によって機械的に連結される。配線部材の第１部分と第２部分との間の有限の所定の長さによって、シャーシからのカバーの取り外しが制限される。
【００１２】
請求項３に記載の発明は、コネクタは、カバーの外側に配置されていることを特徴とする。この構成によると、コネクタの分離作業、接続作業が容易になる。
【００１３】
請求項４に記載の発明は、低電圧部品は、高電圧部品への高電圧の給電を制御するインバータ（２２）を備えることを特徴とする。この構成によると、コネクタが分離状態のとき、インバータへの低電圧の供給が遮断されるから、インバータから高電圧部品への高電圧の給電を遮断することができる。
【００１４】
請求項５に記載の発明は、低電圧部品は、インバータを制御する制御装置（２１）を備えることを特徴とする。この構成によると、コネクタが分離状態のとき、インバータを制御する制御装置への低電圧の供給が遮断されるから、インバータから高電圧部品への高電圧の給電を遮断することができる。
【００１５】
請求項６に記載の発明は、低電圧部品は、高電圧部品への高電圧の給電を制御するリレー（２４、２５）を備えることを特徴とする。この構成によると、コネクタが分離状態のとき、リレーへの低電圧の供給が遮断されるから、リレーから高電圧部品への高電圧の給電を遮断することができる。
【００１６】
請求項７に記載の発明は、低電圧部品は、リレーを制御する制御装置（２１）を備えることを特徴とする。この構成によると、コネクタが分離状態のとき、リレーを制御する制御装置への低電圧の供給が遮断されるから、リレーから高電圧部品への高電圧の給電を遮断することができる。
【００１７】
請求項８に記載の発明は、コネクタ（３０）は、ケーブル（２９）に接続された第１部材（３１）と、第１部材に対して接続および分離が可能な第２部材（３２）とを備え、カバーは、第２部材を固定する固定部（４４）を備えることを特徴とする。この構成によると、コネクタの第２部材をカバーに固定することによって、配線部材による機械的な連結が提供される。コネクタの第１部分を第２部分から分離させることにより、配線部材による機械的な連結は解除される。このため、カバーの取り外しが許容される。
【００１８】
請求項９に記載の発明は、ケーブル（２９、３３）は、第１ケーブル（２９）と第２ケーブル（３３）とを備え、コネクタは、第１ケーブルと第２ケーブルとの間に設けられており、カバーは、第２ケーブルを固定する固定部（２４４）を備えることを特徴とする。この構成によると、第２ケーブルをカバーに固定することによって、配線部材による機械的な連結が提供される。コネクタを分離させることにより、配線部材による機械的な連結は解除される。このため、カバーの取り外しが許容される。
【００１９】
請求項１０に記載の発明は、高電圧部品は、電動圧縮機であることを特徴とする。この構成によると、電動圧縮機の保守作業において、カバーを取り外す場合には、コネクタが分離状態とされる。このため、カバーの取り外しによって露出した電動圧縮機に高電圧が充電されることを回避することができる。
【００２０】
なお、特許請求の範囲および上記手段の項に記載した括弧内の符号は、ひとつの態様として後述する実施形態に記載の具体的手段との対応関係を示すものであって、本発明の技術的範囲を限定するものではない。
【図面の簡単な説明】
【００２１】
【図１】本発明を適用した第１実施形態に係る電気機器を搭載した車両を示す斜視図である。
【図２】第１実施形態の回路を示す回路図である。
【図３】第１実施形態の電気機器を示す一部分解斜視図である。
【図４】第１実施形態の電気機器を示す一部分解斜視図である。
【図５】本発明を適用した第２実施形態に係る電気機器を示す一部分解斜視図である。
【発明を実施するための形態】
【００２２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示してなくとも実施形態同士を部分的に組み合せることも可能である。
【００２３】
（第１実施形態）
図１は、本発明を適用した第１実施形態に係る電気機器を搭載した車両１を示す斜視図である。車両１は、高電圧バッテリ２と、車両１の走行用の駆動装置３と、低電圧バッテリ４とを備える。高電圧バッテリ２は、主として駆動装置３に給電する。駆動装置３は、モータのみを備える電動車両用の駆動装置、またはモータと内燃機関とを備えるいわゆるハイブリッド車両用の駆動装置である。よって、駆動装置３は、車両１の走行用動力源としてのモータを少なくとも含む。駆動装置３に給電する高電圧バッテリ２は、数百ボルトの直流電圧を供給する。高電圧バッテリ２は、走行用バッテリ、またはハイブリッド用バッテリとも呼ばれる。高電圧バッテリ２が供給する電圧は、低電圧バッテリ４が供給する電圧より十分に高い。低電圧バッテリ４は、通常の車載機器に給電する。低電圧バッテリ４は、例えば、１２Ｖ、または２４Ｖを供給する。
【００２４】
車両１は、貨物車両である。車両１には、荷室５が設けられている。荷室５は、冷蔵庫、または冷凍室として構成されている。車両１は、荷室５内を低温に調節し、維持するための車両用の冷凍サイクル装置６を備える。冷凍サイクル装置６は、高電圧によって作動し、カバーを有する電気機器である。冷凍サイクル装置６は、室内機７と、室外機８とを備える。室内機７は、荷室５内に設置されている。室内機７は、冷凍サイクルの一部を構成する蒸発器と送風機とを備えることができる。室外機８は、荷室５の前方上部に設置されている。室外機８は、冷凍サイクルの一部を構成する電動圧縮機、凝縮器、膨張器、送風機、電磁弁、および制御装置などを備えることができる。冷凍サイクル装置６は、高電圧バッテリ２と低電圧バッテリ４との両方から給電されている。高電圧バッテリ２は、電動圧縮機に給電するように接続されている。低電圧バッテリ４は、冷凍サイクル装置６の電動圧縮機以外の電気部品に給電するように接続されている。冷凍サイクル装置６は、室内機７によって荷室５内の空気を冷却し、室外機８によって外気へ熱を放出する。
【００２５】
図２は、第１実施形態の回路を示す回路図である。図中には、高電圧バッテリ２から給電される回路と、低電圧バッテリ４から給電される回路とが図示されている。
【００２６】
高電圧バッテリ２は、車両１の走行用の駆動装置（ＤＲＴ）３に給電する。駆動装置３は、車両１の駆動輪を駆動する走行用のモータを含むことができる。さらに、駆動装置３は、高電圧バッテリ２からモータへの通電を制御するインバータ回路と制御装置とを含むことができる。
【００２７】
冷凍サイクル装置６は、制御装置（ＥＣＵ）２１、インバータ（ＩＮＶ）２２、ヒューズ２３、第１リレー（ＲＬ１）２４、第２リレー（ＲＬ２）２５、抵抗器２６、およびコンデンサ２７を備える。
【００２８】
制御装置２１は、マイクロコンピュータを備える。制御装置２１は、低電圧バッテリ４から給電され、機能する。制御装置２１は、冷凍サイクル装置６の送風機などの部品を制御する。インバータ２２は、低電圧バッテリ４から給電される低電圧回路素子と、高電圧バッテリ２から給電される高電圧を制御する高電圧素子とを含む。インバータ２２は、高電圧バッテリ２から供給される直流電力を三相交流電力に変換する。インバータ２２は、冷凍サイクル装置６の電動圧縮機１４のモータに、高電圧バッテリ２から供給され変換された電力を供給する。インバータ２２は、制御装置２１からの指令に応じて、電動圧縮機１４に供給する電力を調節する。
【００２９】
第１リレー２４は、リレーコイル（ＲＹ）と常開型の接点とを有する。第１リレー２４は、制御装置２１からの指令に応答して、その接点を開閉する。第２リレー２５は、リレーコイル（ＲＹ）と常開型の接点とを有する。第２リレー２５は、制御装置２１からの指令に応答して、その接点を開閉する。
【００３０】
第１リレー２４は、高電圧バッテリ２と、インバータ２２と、ヒューズ２３と、抵抗器２６とに対して直列に接続されている。第１リレー２４の接点が閉じるとき、高電圧バッテリ２と、インバータ２２と、抵抗器２６とを含む閉回路が形成される。インバータ２２の高電圧端子間には、コンデンサ２７が並列接続されている。第１リレー２４の接点が閉じた直後は、コンデンサ２７が徐々に充電される。これにより、インバータ２２への供給電圧も徐々に上昇する。抵抗器２６とコンデンサ２７とは、突入電流を緩和するための電流抑制回路を形成する。
【００３１】
第２リレー２５は、高電圧バッテリ２と、インバータ２２と、ヒューズ２３とに対して直列に接続されている。第２リレー２５の接点が閉じるとき、抵抗器２６を経由することなく、高電圧バッテリ２と、インバータ２２とを含む閉回路が形成されることにより、高電圧バッテリ２からインバータ２２へ直接的に電力が供給される。
【００３２】
制御装置２１は、電動圧縮機１４への通電開始時にのみ第１リレー２４だけを閉じる。これにより、突入電流が抑制される。その後、制御装置２１は、第２リレー２５を閉じ、第１リレー２４を開く。これにより、高電圧バッテリ２の電圧が抵抗器２６を経由することなく、直接的に、インバータ２２、および電動圧縮機１４へ供給される。
【００３３】
ヒューズ２３、第１リレー２４、および第２リレー２５とは、室外機８とは別に、室外機８から離れて設置されている。第１リレー２４と第２リレー２５とは、車両１の下部に設置された継電器箱に収容されている。第１リレー２４および第２リレー２５とインバータ２２とを接続する電線が、室外機８に導入され、インバータ２２に接続されている。第１リレー２４および第２リレー２５は、高電圧バッテリ２とインバータ２２との間の電流経路を遮断する遮断器を提供する。よって、第１リレー２４および第２リレー２５が開くと、インバータ２２の周辺の回路部品には高電圧が供給されない。この実施形態では、第１リレー２４および第２リレー２５が開くと、室外機８に収容された回路部品に高電圧が充電されることはない。
【００３４】
制御装置２１、インバータ２２の低電圧素子、第１リレー２４、および第２リレー２５は、冷凍サイクル装置６に含まれる低電圧部品である。低電圧バッテリ４の電力は、電源ライン２８を経由して、上記低電圧部品へ給電される。これら低電圧部品２１、２２、２４、２５は、低電圧バッテリから電源ライン２８を経由して給電され、高電圧部品である電動圧縮機１４への高電圧の給電を制御する。電源ライン２８の一部は、第１ケーブル２９とコネクタ３０と第２ケーブル３３とを含む配線部材によって提供されている。
【００３５】
第１ケーブル２９は、平行な往復線路を提供している。第１ケーブル２９は、少なくとも２線を含む。第１ケーブル２９は、コネクタ３０を後述するカバーの所定位置に装着するために、室外機８上に敷設され、固定されている。
【００３６】
コネクタ３０は、第１ケーブル２９と第２ケーブル３３との間を機械的に、かつ電気的に接続するように、第１ケーブル２９と第２ケーブル３３との間に設けられている。コネクタ３０は、２端子型の手動操作可能な防水コネクタである。コネクタ３０は、第１部材３１と、第２部材３２とを有する。第１部材３１は、少なくとも２つの端子を有する。一方の端子は、低電圧バッテリ４に接続されている。他方の端子は、制御装置２１を含む低電圧部品に接続されている。第２部材３２は、第１部材３１の上記２つの端子に対応する少なくとも２つの端子を有する。第２部材３２の２つの端子は、第２ケーブル３３によって短絡されている。第１部材３１と第２部材３２とは、接続、または分離が可能である。第１部材３１と第２部材３２とは、一方が雄コネクタであり、他方が雌コネクタである。第１部材３１と第２部材３２との間には、一般的なコネクタが備えるものと同様のロック機構３４が設けられている。ロック機構３４は、作業者が手で操作することができる構成を有している。作業者は、ロック機構３４を手で操作することにより、第１部材３１と第２部材３２とを分離することができる。
【００３７】
第２ケーブル３３は、平行な往復線路を有する。第２ケーブル３３の一端は、第２部材３２が接続されている。第２ケーブル３３の他端には、往復線路を電気的に短絡する短絡部分が設けられている。
【００３８】
第１部材３１と第２部材３２とが接続されることにより、低電圧バッテリ４から低電圧部品への給電が許容される。このとき、第１リレー２４および第２リレー２５は、それらの接点を閉じることが可能な状態におかれる。また、制御装置２１およびインバータ２２も作動可能な状態におかれる。よって、コネクタ３０が接続状態におかれているとき、インバータ２２と電動圧縮機１４との間に敷設された導体１４ａに高電圧が供給される可能性がある。つまり、導体１４ａが活線状態となる可能性がある。
【００３９】
第１部材３１と第２部材３２とが分離されることにより、低電圧の電源ライン２８が遮断される。この結果、低電圧バッテリ４から低電圧部品への給電が遮断される。このとき、制御装置２１およびインバータ２２への低電圧の供給が遮断されるから、インバータ２２から電動圧縮機１４への給電が遮断される。また、第１リレー２４および第２リレー２５への低電圧の供給が遮断され、それらの接点が開くから、高電圧バッテリ２からインバータ２２および電動圧縮機１４への給電が遮断される。この結果、導体１４ａへの給電が停止される。よって、コネクタ３０が分離状態におかれているとき、導体１４ａに高電圧が供給される可能性はきわめて低い。つまり、導体１４ａが活線状態とならない。
【００４０】
図３は、第１実施形態の電気機器としての室外機８を示す一部分解斜視図である。室外機８は、シャーシ１１と、シャーシ１１上に配置された部品とを備える。シャーシ１１上には、回路容器１２、凝縮器ユニット１３、電動圧縮機１４、および他の部品群１５が搭載され、固定されている。回路容器１２は、制御装置２１、インバータ２２、および周辺の電気部品を収容する容器である。凝縮器ユニット１３は、凝縮器と送風機とを備えることができる。電動圧縮機１４は、冷媒を圧縮し冷凍サイクル装置６内を循環させるための圧縮機構と、圧縮機構を駆動するモータとを一体的に構成したものである。電動圧縮機１４の一部には、インバータ２２とモータとを接続するための導体１４ａが接続された端子部分が設けられている。電動圧縮機１４は、高電圧バッテリ２から給電される高電圧部品である。電動圧縮機１４は、アルミダイカスト製のボディを有している。このため、正常時には導体１４ａが活線となる可能性がある。また、漏電等の異常時には、電動圧縮機１４の全体が活線部分となる可能性がある。他の部品群１５には、冷凍サイクル装置６を構成するための配管、アキュムレータ、および電磁弁などの部品が含まれている。
【００４１】
シャーシ１１には、カバー４１、４２，４３が装着されている。これらカバー４１、４２、４３は、電気絶縁性の樹脂製である。これらカバー４１、４２、４３は、爪による連結構造、および／またはボルトによる締結構造によってシャーシ１１に固定されている。これらカバー４１、４２、４３は、回路容器１２、凝縮器ユニット１３、電動圧縮機１４、および他の部品群１５を覆うことができる大きさをもつ。右側のカバー４１は、主として回路容器１２の周辺を覆う。中央のカバー４２は、主として凝縮器ユニット１３の周辺を覆う。左側のカバー４３は、少なくとも電動圧縮機１４の導体１４ａを覆っている。この実施形態では、カバー４３は、主として電動圧縮機１４と他の部品群１５との周辺を覆う。よって、カバー４３は、高電圧部品を覆うカバーである。
【００４２】
図示されるように、カバー４１およびカバー４２は、室外機８の保守作業のために、取り外すことができる。これらカバー４１およびカバー４２は、特別の操作を要することなく、連結構造、および／または締結構造を解放することによって取り外すことができる。
【００４３】
シャーシ１１には、第１ケーブル２９が敷設されている。第１ケーブル２９は、シャーシ１１上に直接的に、または間接的に固定されている。第１ケーブル２９は、シャーシ１１上の右端に配置された回路容器１２から延び出している。第１ケーブル２９は、凝縮器ユニット１３の下側を通って敷設されている。第１ケーブル２９は、凝縮器ユニット１３の左端部分において、シャーシ１１に直接的に、または間接的に、容易に外すことができないように強固に固定されている。第１ケーブル２９は、ナイロン製のケーブルタイ１６などの固定部材によってシャーシ１１上に強固に固定することができる。
【００４４】
第１ケーブル２９は、ケーブルタイ１６による固定部分から、さらに延び出している。第１ケーブル２９の端部は、カバー４３の下側の壁の外面にまで到達している。第１ケーブル２９の端部には、コネクタ３０が設けられている。
【００４５】
コネクタ３０は、カバー４３の下側の壁に支持されている。コネクタ３０は、カバー４３の外側に配置されている。カバー４３の下側の壁には、コネクタ３０を固定するための固定手段としての固定部４４が設けられている。固定部４４は、カバー４３の下側の壁の外面に形成されている。よって、コネクタ３０は、下側の壁の外面に固定されている。この実施形態では、コネクタ３０の第２部材３２が固定部４４に嵌合している。固定部４４は、第２部材３２を容易に外すことができないように、強固に第２部材３２を保持している。一方、第１部材３１は、第２部材３２に接続されている。よって、固定部４４は、第１部材３１を間接的に支持しているといえる。
【００４６】
コネクタ３０が接続状態にあるとき、シャーシ１１とカバー４３とは、第１ケーブル２９とコネクタ３０とによって接続されている。第１ケーブル２９の長さは、カバー４３をシャーシ１１から引き離すことを阻害する程度の長さに設定されている。よって、コネクタ３０が接続状態にあるときにカバー４３をシャーシ１１から外そうとしても、第１ケーブル２９がカバー４３の取り外しを阻害する。この結果、導体１４ａを含む高電圧に充電される可能性がある部分が露出することが回避される。
【００４７】
図４は、第１実施形態の電気機器としての室外機８を示す一部分解斜視図である。図中には、カバー４１、４２が取り外され、さらにカバー４３を取り外した状態が図示されている。上述のように、コネクタ３０が接続状態にあると、カバー４３はシャーシ１１から引き離すことができない。そこで、保守作業のためにカバー４３をシャーシ１１から取り外すときには、まず、コネクタ３０を分離状態とする。コネクタ３０のロック機構３４は、第２部材３２を固定部４４に嵌合させ固定したままで、操作することができる構成である。作業者は、コネクタ３０のロック機構３４を操作しながら、第１部材３１を軸方向へ引くことにより、第１部材３１を第２部材３２から分離することができる。第２部材３２は、分離状態においても、固定部４４によって保持されている。この結果、第１ケーブル２９によって阻害されることなく、カバー４３をシャーシ１１から取り外すことができる。
【００４８】
コネクタ３０は、低電圧バッテリ４から低電圧部品への電力供給経路に設置された遮断器を提供する。しかも、この遮断器は、カバー４３をシャーシ１１から取り外すためには、すなわち導体１４ａを含む電動圧縮機１４を露出させるためには、機械的な構造に起因して遮断状態に切換えざるを得ない構造となっている。
【００４９】
カバー４３を取り外すことにより、電動圧縮機１４が露出する。カバー４３を取り外すことにより、導体１４ａを含む端子部が露出する。このとき、コネクタ３０が分離状態におかれているから、電動圧縮機１４への高電圧供給を制御する制御回路としての制御装置２１、インバータ２２、およびリレー２４、２５への電源供給が遮断される。よって、導体１４ａを含む端子部に高電圧が供給される可能性はきわめて低い。また、漏電を想定したとしても、電動圧縮機１４およびその周辺部品に高電圧が供給され充電される可能性はきわめて低い。
【００５０】
上述の構成によると、第１ケーブル２９とコネクタ３０と第２ケーブル３３とによって構成される配線部材は、電源ライン２８の一部を構成するとともに、カバー４３に機械的に連結されている。接続および分離が可能なコネクタ３０は、ケーブル２９、３０の途中に設けられているといえる。ケーブル２９およびケーブル３３は、全体として、Ｕ字型の往復線路を提供している。コネクタ３０は、ケーブル２９とケーブル３３との間の電気的な接続を断続することができる。コネクタ３０は、接続状態では、電源ライン２８を接続するとともに、配線部材による機械的な連結によりカバー４３の取り外しを制限する。また、コネクタ３０は、分離状態では、電源ライン２８を遮断するとともに、配線部材による機械的な連結を解除することによりカバー４３の取り外しを許容する。配線部材の第１ケーブル２９の一部は、ケーブルタイ１６が提供する固定部によってシャーシ１１に固定されている。この部分は、配線部材の第１部分と呼ぶことができる。さらに、配線部材の上において第１部分（ケーブルタイ１６による固定部分）から所定の長さだけ離れたコネクタ３０の第２部材３２は、固定部４４によってカバー４３に固定されている。この第２部材３２は、配線部材の第２部分と呼ぶことができる。
【００５１】
この実施形態によると、電動圧縮機１４の全体を露出させるためにカバー４３を取り外す場合には、必ずコネクタ３０を分離状態とする必要がある。このため、電動圧縮機１４への高電圧供給を確実に遮断することができる。
【００５２】
また、コネクタ３０は、低電圧バッテリ４から低電圧部品への給電経路に配置されているから、低電圧のコネクタ３０を操作するだけで、保守作業を実施することができる。つまり、高電圧バッテリ２から高電圧を供給される可能性のある電気部品を操作することなく保守作業を実施することができる。
【００５３】
また、コネクタ３０を使用して高電圧供給を遮断することができるから、安価な装置を提供することができる。
【００５４】
（第２実施形態）
図５は、本発明を適用した第２実施形態に係る電気機器を示す一部分解斜視図である。上記実施形態では、第１ケーブル２９とコネクタ３０とによってシャーシ１１とカバー４３とを連結し、カバー４３の取り外しを制限した。これに代えて、この実施形態では、第１ケーブル２９とコネクタ３０と第２ケーブル３３とによってシャーシ１１とカバー４３とを連結し、カバー４３の取り外しを制限する。カバー４３は、第２ケーブル３３の端部を固定する固定手段としての固定部２４４を備える。コネクタ３０の第１部材３１と第２部材３２とを分離状態とすることにより、カバー４３は、第１ケーブル２９および第２ケーブル３３によって制限されることなく、シャーシ１１から取り外すことが可能となる。
【００５５】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００５６】
例えば、上記カバー４１、４２、４３は、単一のカバーを構成するように一体化してもよい。この場合、単一のカバーにコネクタ３０が固定される。また、コネクタ３０を、直列接続された複数のコネクタに置き換え、カバー４１、４２、４３のそれぞれにひとつのコネクタを設けてもよい。この場合、いずれかひとつのコネクタが分離状態となると、高電圧の供給が遮断される。
【００５７】
また、上記実施形態では、高電圧バッテリ２の正極端子とインバータ２２との間にのみ第１リレー２４および第２リレー２５を設けた。これに加えて、高電圧バッテリ２の負極端子とインバータ２２との間にも、第１リレー２４および第２リレー２５に連動するリレーを設けてもよい。これにより、高電圧バッテリ２とインバータ２２との間を完全に遮断することができる。このため、室外機８の保守作業において高電圧が充電された部位を含む活線が露出する可能性をきわめて低くすることができる。
【００５８】
また、固定部４４、２４４は、ケーブルタイ、ボルトなどの固定手段によって提供されてもよい。
【００５９】
例えば、制御装置が提供する手段と機能は、ソフトウェアのみ、ハードウェアのみ、あるいはそれらの組合せによって提供することができる。例えば、制御装置をアナログ回路によって構成してもよい。
【符号の説明】
【００６０】
１      車両
２      高電圧バッテリ
３      駆動装置
４      低電圧バッテリ
５      荷室
６      冷凍サイクル装置
７      室内機
８      室外機
１１    シャーシ
１２    回路容器
１３    凝縮器ユニット
１４    電動圧縮機
１４ａ  導体
１５    他の部品
１６    ケーブルタイ
２１    制御装置
２２    インバータ
２３    ヒューズ
２４    第１リレー
２５    第２リレー
２６    抵抗器
２７    コンデンサ
２８    電源ライン
２９    第１ケーブル
３０    コネクタ
３１    第１部材
３２    第２部材
３３    第２ケーブル
４１    カバー
４２    カバー
４３    カバー
４４    嵌合部
【図１】
0005598383.tif 000002
【図２】
0005598383.tif 000003
【図３】
0005598383.tif 000004
【図４】
0005598383.tif 000005
【図５】
0005598383.tif 000006